(57)【要約】【課題】ＩＰアドレスの一部をなす利用者設定ビット列を利用者が決定するための労力を効率良く低減することを課題とする。【解決手段】プレフィックスをＩＳＰが保有するプレフィックス生成装置１１が、本来利用者が設定すべき利用者設定ビット列であるＳＬＡＩＤを含むプレフィックスをあらかじめ設定してカード１２に記憶しておき、利用者がルータ１３にカード１２を挿入すると、プレフィックス割り当て処理部１３ｇによりカード１２内のプレフィックスがインターフェース部１３ａおよび１３ｂに割り当てられる。【選択図】      図１
2004297410.tif 000002
【特許請求の範囲】
【請求項１】
各端末装置を利用する利用者に対してインターネット接続サービスをおこなうインターネット接続ルータまたはネットワークアクセスサーバと前記端末装置が接続されたネットワークとの間に配設されるネットワーク間接続装置の各インターフェースに対してＩＰアドレスの一部をなすプレフィックスを割り当てるアドレス割り当て方法であって、
インターネットサービスプロバイダが設定すべきＩＳＰ設定ビット列と前記利用者が設定すべき利用者設定ビット列からなるユニークなプレフィックスをあらかじめ取り外し可能な記録媒体に格納するプレフィックス格納工程と、
前記記録媒体が前記ネットワーク間接続装置に対して装着された際に、該記録媒体に格納されたプレフィックスを当該ネットワーク間接続装置のインターフェースに割り当てる割り当て工程と
を含んだことを特徴とするアドレス割り当て方法。
【請求項２】
前記ＩＰアドレスは、ＩＰｖ６規約に規定された１２８ビットのＩＰアドレスであり、前記プレフィックスは、４８ビットのＩＳＰ設定ビット列とＳＬＡ識別情報を含む１６ビットの利用者設定ビット列とからなり、前記ネットワーク間接続装置は、ＩＰｖ６ルータであることを特徴とする請求項１に記載のアドレス割り当て方法。
【請求項３】
前記記録媒体は、前記ネットワーク間接続装置から取り外し可能なカード型デバイスであることを特徴とする請求項１または２に記載のアドレス割り当て方法。
【請求項４】
前記プレフィックス格納工程は、前記インターネットサービスプロバイダにより前記プレフィックスを前記記録媒体に格納されることを特徴とする請求項１、２または３に記載のアドレス割り当て方法。
【請求項５】
前記プレフィックス格納工程は、複数のプレフィックスを前記記録媒体に格納し、前記割り当て工程は、前記記録媒体が前記ネットワーク間接続装置に対して装着された際に、該記録媒体に格納された複数のプレフィックスを当該ネットワーク間接続装置の各インターフェースにそれぞれ割り当てることを特徴とする請求項１〜４のいずれか一つに記載のアドレス割り当て方法。
【請求項６】
前記割り当て工程により前記記録媒体に格納されたプレフィックスが前記ネットワーク間接続装置のインターフェースに割り当てられた際に、該ネットワーク間接続装置がそのアドレス経路を集約して広告する広告工程をさらに含んだことを特徴とする請求項１〜５のいずれか一つに記載のアドレス割り当て方法。
【請求項７】
前記プレフィックス格納工程は、前記インターネットサービスプロバイダが設定すべきＩＳＰ設定ビット列を第１の記録媒体に格納するとともに、前記利用者が設定すべき利用者設定ビット列を第２の記録媒体に格納し、前記割り当て工程は、前記第１の記録媒体および第２の記録媒体が前記ネットワーク間接続装置に対して装着された際に、該第１の記録媒体に格納されたＩＳＰ設定ビット列と前記第２の記録媒体に格納された利用者設定ビット列からユニークなプレフィックスを生成し、生成したプレフィックスを当該ネットワーク間接続装置のインターフェースに割り当てることを特徴とする請求項１〜６のいずれか一つに記載のアドレス割り当て方法。
【請求項８】
前記割り当て工程は、前記記録媒体に格納されたプレフィックスのうち前記ネットワーク間接続装置のインターフェースに割り当てられたものを使用不可とし、該記録媒体が他のネットワーク接続機器に装着された際に、該記録媒体に格納された未割り当てのプレフィックスを当該他のネットワーク間接続装置のインターフェースに割り当てることを特徴とする請求項１〜７のいずれか一つに記載のアドレス割り当て方法。
【請求項９】
各端末装置を利用する利用者に対してインターネット接続サービスをおこなうインターネット接続ルータまたはネットワークアクセスサーバと前記端末装置が接続されたネットワークとの間に配設されるネットワーク間接続装置の各インターフェースに対してＩＰアドレスの一部をなすプレフィックスを割り当てるアドレス割り当てシステムであって、
インターネットサービスプロバイダが設定すべきＩＳＰ設定ビット列と前記利用者が設定すべき利用者設定ビット列からなるユニークなプレフィックスをあらかじめ取り外し可能な記録媒体に格納するプレフィックス格納装置を備え、
前記ネットワーク間接続装置は、
前記記憶媒体に格納されたプレフィックスを読み出す読み出し手段と、
前記読み出し手段により読み出されたプレフィックスを当該ネットワーク間接続装置のインターフェースに割り当てる割り当て手段とを備えた
ことを特徴とするアドレス割り当てシステム。
【請求項１０】
各端末装置を利用する利用者に対してインターネット接続サービスをおこなうインターネット接続ルータまたはネットワークアクセスサーバと前記端末装置が接続されたネットワークとの間に配設されるネットワーク間接続装置であって、
インターネットサービスプロバイダが設定すべきＩＳＰ設定ビット列と前記利用者が設定すべき利用者設定ビット列からなるユニークなプレフィックスを格納した取り外し可能な記録媒体からデータを読み出す読み出し手段と、
前記読み出し手段により読み出されたプレフィックスを当該ネットワーク間接続装置のインターフェースに割り当てる割り当て手段と
を備えたことを特徴とするネットワーク間接続装置。
【発明の詳細な説明】
【０００１】
【発明の属する技術分野】
この発明は、各端末装置を利用する利用者に対してインターネット接続サービスをおこなうインターネット接続ルータまたはネットワークアクセスサーバと端末装置が接続されたネットワークとの間に配設されるネットワーク間接続装置の各インターフェースに対してＩＰアドレスの一部をなすプレフィックスを割り当てるアドレス割り当て方法、アドレス割り当てシステムおよびネットワーク間接続装置であって、特に、ＩＰアドレスの一部をなす利用者設定ビット列を利用者が決定するための労力を効率良く低減することができるアドレス割り当て方法、アドレス割り当てシステムおよびネットワーク間接続装置に関する。
【０００２】
【従来の技術】
最近、爆発的に普及しつつあるインターネットでは、ＩＰｖ４と呼ばれるプロトコルが採用されてきた。ところが、このＩＰｖ４規約をこのまま用いたのでは、通信相手を識別するために必要となるＩＰアドレスが不足し、近い将来ＩＰアドレスが枯渇してしまうおそれがある。このため、次世代のＩＰプロトコルとして、１２８ビットにＩＰアドレスを拡張したＩＰｖ６規約が注目されている。
【０００３】
図９（ａ）に示すように、このＩＰｖ６規約で用いるＩＰアドレス９１は、「そのＩＰアドレスがどのネットワークに所属しているか」を示すプレフィックス（Ｐｒｅｆｉｘ）９２と、ネットワーク内の個々の端末装置を識別するために使われるインターフェースＩＤ９３により形成される。また、このプレフィックス９２は、インターネット接続サービス業者（ＩＳＰ；Ｉｎｔｅｒｎｅｔ  Ｓｅｒｖｉｃｅ  Ｐｒｏｖｉｄｅｒ）から提供される４８ビットの情報（以下、「ＩＳＰ設定ビット列」と言う）９２ａと、利用者が自ら設定する１６ビットの情報（以下、「利用者設定ビット列」と言う）９２ｂとからなる。
【０００４】
そして、図９（ｂ）に示すように、各端末装置９７ａ〜９７ｄ（以下「各端末装置９７」と総称する）の利用者がインターネット接続ルータまたはネットワークアクセスサーバ９３を介してＩＳＰによるインターネット接続サービスを受ける場合には、ルータ９４のインターフェース９４ａと９４ｂにそれぞれユニークなプレフィックス９２を割り当てるとともに、ＬＡＮ９５および９６上の各端末装置をインターフェースＩＤ９３で区別することになる。
【０００５】
したがって、これらのＬＡＮ９５および９６を管理するネットワーク管理者（以下、単に「利用者」と言う）は、ＩＳＰからＩＳＰ設定ビット列９２ａを受け取ったならばと、利用者設定ビット列９２ｂを設定して、この利用者設定ビット列９２ｂとＩＳＰ設定ビット列９２ａからなるプレフィックス９２をそれぞれユニークとなるようルータ９４のインターフェース９４ａおよび９４ｂに割り当てていた。
【０００６】
【特許文献１】
特開２００２−８４３１７号公報
【０００７】
【発明が解決しようとする課題】
しかしながら、かかる利用者がルータ９３のインターフェース９４ａおよび９４ｂに各プレフィックス９２を設定するにあたって、上記利用者設定ビット列９２ｂをいかにして割り当てるかが問題となる。また、この利用者設定ビット列９２ｂの割り当てが、利用者の大きな負担になる可能性もある。
【０００８】
ＩＰｖ６規約の場合には、現在主流のＩＰｖ４規約と異なり、利用者が自身で決定しなければならないビット数が固定であり、かつ、１６ビットと多いために、ＩＰｖ４規約ほどの技術的専門性を要求されることはない。しかしながら、各プレフィックス９２をユニークにしなければならないという制約があり、また、管理面から見ていかなるビットを付与するかを考慮すると、やはりＩＰｖ４規約の場合と同様に、利用者設定ビット列９２ｂの決定は悩ましい問題となる。
【０００９】
また、ＩＰアドレス９１の拡張に伴って、今後はＩＰｖ６ルータの機能を持つ冷蔵庫のような情報家電などの登場が考えられるので、ＩＰアドレス９１の設計に馴れていない一般消費者が、上記利用者設定ビット列９２ｂを設定せねばならないことになるので、利用者の多様化に対応できるプレフィックスの割り当て方法を検討する必要もある。
【００１０】
これらのことから、ＩＰアドレス９１の一部をなす利用者設定ビット列９２ｂを利用者が決定するための労力をいかにして効率良く低減するかが極めて重要な課題となっている。なお、上記特許文献１には、ＩＰアドレスの割り当てをおこなうＩＰアドレス割り当て方法が開示されているが、この特許文献１のものは、移動端末装置の移動に伴うＩＰアドレスの割り当てをおこなうものであり、かかる課題を解決するものではない。
【００１１】
この発明は、上述した従来技術による課題（問題点）を解消するためになされたものであって、ＩＰアドレスの一部をなす利用者設定ビット列を利用者が決定するための労力を効率良く低減することができるアドレス割り当て方法、アドレス割り当てシステムおよびネットワーク間接続装置を提供することを目的とする。
【００１２】
【課題を解決するための手段】
上述した課題を解決し、目的を達成するため、請求項１の発明に係るアドレス割り当て方法は、各端末装置を利用する利用者に対してインターネット接続サービスをおこなうインターネット接続ルータまたはネットワークアクセスサーバと前記端末装置が接続されたネットワークとの間に配設されるネットワーク間接続装置の各インターフェースに対してＩＰアドレスの一部をなすプレフィックスを割り当てるアドレス割り当て方法であって、インターネットサービスプロバイダが設定すべきＩＳＰ設定ビット列と前記利用者が設定すべき利用者設定ビット列からなるユニークなプレフィックスをあらかじめ取り外し可能な記録媒体に格納するプレフィックス格納工程と、前記記録媒体が前記ネットワーク間接続装置に対して装着された際に、該記録媒体に格納されたプレフィックスを当該ネットワーク間接続装置のインターフェースに割り当てる割り当て工程とを含んだことを特徴とする。
【００１３】
この請求項１の発明によれば、記憶媒体を利用してネットワーク間接続装置にプレフィックスを設定するので、利用者自身がプレフィックスの利用者設定ビット列を設定する必要をなくすことができる。
【００１４】
また、請求項２の発明に係るアドレス割り当て方法は、請求項１の発明において、前記ＩＰアドレスは、ＩＰｖ６規約に規定された１２８ビットのＩＰアドレスであり、前記プレフィックスは、４８ビットのＩＳＰ設定ビット列とＳＬＡ識別情報を含む１６ビットの利用者設定ビット列とからなり、前記ネットワーク間接続装置は、ＩＰｖ６ルータであることを特徴とする。
【００１５】
この請求項２の発明によれば、ＩＰｖ６規約に規定された１２８ビットのＩＰアドレスを対象とし、プレフィックスが、４８ビットのＩＳＰ設定ビット列とＳＬＡ識別情報を含む１６ビットの利用者設定ビット列とからなり、ネットワーク間接続装置がＩＰｖ６ルータであることとしたので、利用者設定ビット列のビット数制約が少なくなるので、記録媒体に格納するプレフィックスを簡易に決定することができる。
【００１６】
また、請求項３の発明に係るアドレス割り当て方法は、請求項１または２の発明において、前記記録媒体は、前記ネットワーク間接続装置から取り外し可能なカード型デバイスであることを特徴とする。
【００１７】
この請求項３の発明によれば、記録媒体をネットワーク間接続装置から取り外し可能なカード型デバイスとしたので、既存のカード型デバイスを用いて効率良くプレフィックスを設定することができる。
【００１８】
また、請求項４の発明に係るアドレス割り当て方法は、請求項１〜３の発明において、前記プレフィックス格納工程は、前記インターネットサービスプロバイダにより前記プレフィックスを前記記録媒体に格納されることを特徴とする。
【００１９】
この請求項４の発明によれば、インターネットサービスプロバイダによりプレフィックスが記録媒体に格納されることとしたので、利用者がインターネットサービスプロバイダに加入する際に、かかる記録媒体を入手し、もって簡易かつ迅速にプレフィックスの設定をおこなうことができる。
【００２０】
また、請求項５の発明に係るアドレス割り当て方法は、請求項１〜４の発明において、前記プレフィックス格納工程は、複数のプレフィックスを前記記録媒体に格納し、前記割り当て工程は、前記記録媒体が前記ネットワーク間接続装置に対して装着された際に、該記録媒体に格納された複数のプレフィックスを当該ネットワーク間接続装置の各インターフェースにそれぞれ割り当てることを特徴とする。
【００２１】
この請求項５の発明によれば、複数のプレフィックスを前記記録媒体に格納し、記録媒体がネットワーク間接続装置に対して装着された際に、該記録媒体に格納された複数のプレフィックスを当該ネットワーク間接続装置の各インターフェースにそれぞれ割り当てることとしたので、ハイエンドのルータのように多くのインターフェースを有する場合であっても、一つの記録媒体を用いて各インターフェースにプレフィックスを設定することができる。
【００２２】
また、請求項６の発明に係るアドレス割り当て方法は、請求項１〜５の発明において、前記割り当て工程により前記記録媒体に格納されたプレフィックスが前記ネットワーク間接続装置のインターフェースに割り当てられた際に、該ネットワーク間接続装置がそのアドレス経路を集約して広告する広告工程をさらに含んだことを特徴とする。
【００２３】
この請求項６の発明によれば、記録媒体に格納されたプレフィックスがネットワーク間接続装置のインターフェースに割り当てられた際に、該ネットワーク間接続装置がそのアドレス経路を集約して広告することとしたので、ルータなどのネットワーク間接続装置の機能発揮に必要となるアドレス経路の配布を効率良くおこなうことができる。
【００２４】
また、請求項７の発明に係るアドレス割り当て方法は、請求項１〜６の発明において、前記プレフィックス格納工程は、前記インターネットサービスプロバイダが設定すべきＩＳＰ設定ビット列を第１の記録媒体に格納するとともに、前記利用者が設定すべき利用者設定ビット列を第２の記録媒体に格納し、前記割り当て工程は、前記第１の記録媒体および第２の記録媒体が前記ネットワーク間接続装置に対して装着された際に、該第１の記録媒体に格納されたＩＳＰ設定ビット列と前記第２の記録媒体に格納された利用者設定ビット列からユニークなプレフィックスを生成し、生成したプレフィックスを当該ネットワーク間接続装置のインターフェースに割り当てることを特徴とする。
【００２５】
この請求項７の発明によれば、インターネットサービスプロバイダが設定すべきＩＳＰ設定ビット列を第１の記録媒体に格納するとともに、利用者が設定すべき利用者設定ビット列を第２の記録媒体に格納しておき、第１の記録媒体および第２の記録媒体がネットワーク間接続装置に対して装着された際に、該第１の記録媒体に格納されたＩＳＰ設定ビット列と第２の記録媒体に格納された利用者設定ビット列からユニークなプレフィックスを生成し、生成したプレフィックスを当該ネットワーク間接続装置のインターフェースに割り当てることとしたので、利用者設定ビット列の提供者を第三者とし、ＩＳＰ業者の負担増を低減しつつ効率良くプレフィックスの設定をおこなうことができる。
【００２６】
また、請求項８の発明に係るアドレス割り当て方法は、請求項１〜７の発明において、前記割り当て工程は、前記記録媒体に格納されたプレフィックスのうち前記ネットワーク間接続装置のインターフェースに割り当てられたものを使用不可とし、該記録媒体が他のネットワーク接続機器に装着された際に、該記録媒体に格納された未割り当てのプレフィックスを当該他のネットワーク間接続装置のインターフェースに割り当てることを特徴とする。
【００２７】
この請求項８の発明によれば、記録媒体に格納されたプレフィックスのうちネットワーク間接続装置のインターフェースに割り当てられたものを使用不可とし、該記録媒体が他のネットワーク接続機器に装着された際に、該記録媒体に格納された未割り当てのプレフィックスを当該他のネットワーク間接続装置のインターフェースに割り当てることとしたので、一つの記録媒体で複数のネットワーク間接続装置にプレフィックスの設定をおこなうことができ、もって業務の円滑化を推進することができる。
【００２８】
また、請求項９の発明に係るアドレス割り当てシステムは、各端末装置を利用する利用者に対してインターネット接続サービスをおこなうインターネット接続ルータまたはネットワークアクセスサーバと前記端末装置が接続されたネットワークとの間に配設されるネットワーク間接続装置の各インターフェースに対してＩＰアドレスの一部をなすプレフィックスを割り当てるアドレス割り当てシステムであって、インターネットサービスプロバイダが設定すべきＩＳＰ設定ビット列と前記利用者が設定すべき利用者設定ビット列からなるユニークなプレフィックスをあらかじめ取り外し可能な記録媒体に格納するプレフィックス格納装置を備え、前記ネットワーク間接続装置は、前記記憶媒体に格納されたプレフィックスを読み出す読み出し手段と、前記読み出し手段により読み出されたプレフィックスを当該ネットワーク間接続装置のインターフェースに割り当てる割り当て手段とを備えたことを特徴とする。
【００２９】
この請求項９の発明によれば、記憶媒体を利用してネットワーク間接続装置にプレフィックスを設定するので、利用者自身がプレフィックスの利用者設定ビット列を設定する必要をなくすことができ、もってかかる設定に要する利用者の労力を低減することが可能となる。
【００３０】
また、請求項１０の発明に係るネットワーク間接続装置は、各端末装置を利用する利用者に対してインターネット接続サービスをおこなうインターネット接続ルータまたはネットワークアクセスサーバと前記端末装置が接続されたネットワークとの間に配設されるネットワーク間接続装置であって、インターネットサービスプロバイダが設定すべきＩＳＰ設定ビット列と前記利用者が設定すべき利用者設定ビット列からなるユニークなプレフィックスを格納した取り外し可能な記録媒体からデータを読み出す読み出し手段と、前記読み出し手段により読み出されたプレフィックスを当該ネットワーク間接続装置のインターフェースに割り当てる割り当て手段とを備えたことを特徴とする。
【００３１】
この請求項１０の発明によれば、記憶媒体を利用してネットワーク間接続装置にプレフィックスを設定するので、利用者自身がプレフィックスの利用者設定ビット列を設定する必要をなくすことができ、もってかかる設定に要する利用者の労力を低減することが可能となる。
【００３２】
【発明の実施の形態】
以下に添付図面を参照して、この発明に係るアドレス割り当て方法、アドレス割り当てシステムおよびネットワーク間接続装置の好適な実施の形態を詳細に説明する。なお、本実施の形態では、ＩＰｖ６規約で最も基本的なグローバルアドレスを用いた場合を中心に説明することとする。
【００３３】
まず最初に、本実施の形態に係るプレフィックス設定システムの構成および概念について説明する。図１は、本実施の形態に係るプレフィックス設定システムを説明するための概念図である。同図に示すように、本実施の形態に係るプレフィックス設定システムでは、ＩＳＰが保有するインターネット接続ルータまたはネットワークアクセスサーバ１０にルータ１３を接続するとともに、このルータ１３のインターフェース部１３ａにＬＡＮ１４を収容し、インターフェース部１３ｂにＬＡＮ１５を収容している。また、ＬＡＮ１４には、端末装置１６ａおよび１６ｂが接続され、ＬＡＮ１５には、端末装置１６ｃおよび１６ｄが接続されている。
【００３４】
インターネット接続ルータまたはネットワークアクセスサーバ１０は、端末装置１６ａ〜１６ｄからアクセスを受け付けた際に所定の認証処理をおこなった後にインターネット接続サービスをおこなうサーバ装置である。
【００３５】
プレフィックス生成装置１１は、ルータ１３のインターフェース部１３ａおよび１３ｂに割り当てるプレフィックスを生成する処理部である。具体的には、図２に示すように、グローバルアドレス２０は、ＦＰ、ＴＬＡ、ＲＥＳ、ＮＬＡＩＤおよびＳＬＡＩＤからなる６４ビットのプレフィックスと、６４ビットのインターフェースＩＤからなるが、このＳＬＡＩＤは、本来利用者が設定する利用者設定ビット列である。しかしながら、このプレフィックス生成装置１１では、このＳＬＡＩＤを含めたプレフィックス全体を生成して、カード１２に書き込む処理をおこなう。
【００３６】
カード１２は、磁気カードやＩＣカードなどのプレフィックス生成装置１１から取り外し可能なカードデバイスであり、ルータ１３に割り当てるべきプレフィックスを記憶する。
【００３７】
ルータ１３は、ＬＡＮ１４および１５上の端末装置１６ａ〜１６ｄが送受信するパケットをルーティング制御する処理部である。このルータ１３のインターフェース部１３ａおよび１３ｂには、プレフィックスを割り当てる必要があるが、ここではカードリーダ１３ｄにカード１２が装着された際に、プレフィックス割り当て処理部１３ｇが、カード１２内に記憶したプレフィックスをインターフェース部１３ａおよび１３ｂに割り当てる処理をおこなう。
【００３８】
このように、本実施の形態に係るプレフィックス設定システムは、プレフィックスをＩＳＰ側のプレフィックス生成装置１１で作成するとともに、カード１２を利用して作成済みのプレフィックスをルータ１３に自動設定する点にその特徴がある。
【００３９】
この点について具体的に説明すると、端末装置１６ａ〜１６ｄからＩＰｖ６規約を用いてインターネットを利用するためには、ルータ１３のインターフェース部１３ａおよび１３ｂに対して、ユニークなプレフィックスを割り当てる必要がある。しかしながら、従来のように利用者が設定すべきビット列であるＳＬＡＩＤを利用者が設定することとすると、専門的な知識を有さない利用者にとって設定に係る労力が大きくなってしまう。そこで、本実施の形態に係るプレフィックス設定システムでは、このＳＬＡＩＤを含むプレフィックスの設定をＩＳＰ側でおこない、設定されたプレフィックスをカードを用いてルータ１３に設定するよう構成している。
【００４０】
具体的には、ＩＳＰが保有するプレフィックス生成装置１１においてＳＬＡＩＤを含むプレフィックスを発生させ、発生させたプレフィックスをカード１２に書き込む。そして、利用者がＩＳＰに加入した際に、書き込み済みのカード１２を利用者に渡す。このカード１２を受け取った利用者が、ルータ１３に接続されたカードリーダ１３ｄに該カード１２を挿入すると、プレフィックス割り当て処理部１３ｇによりカード１２から読み出されたプレフィックスがインターフェース部１３ａおよび１３ｂに割り当てられることになる。これにより、利用者は、ＩＳＰから受け取ったカード１２をルータ１３に装着するだけで、プレフィックスの割り当てが終了するため、利用者がプレフィックス設定に係る知識を有さなくても、端末装置１６ａ〜１６ｄからＩＰｖ６規約によるインターネットの利用が可能になる。
【００４１】
なお、ここでは説明の便宜上、ルータ１３にＬＡＮ１４およびＬＡＮ１５を収容し、各ＬＡＮに端末装置１６ａ〜１６ｄを接続した場合を示したが、たとえばＬＡＮ１５にさらにルータを介して他のＬＡＮを接続し、当該他のＬＡＮに端末装置を接続するようなネットワーク形態を取る場合にも本発明を適用することができる。つまり、複数のルータが存在する場合であっても本発明の対象となる。
【００４２】
次に、図１に示したプレフィックス生成装置１１の構成についてさらに具体的に説明する。図３は、図１に示したプレフィックス生成装置１１の構成を示す機能ブロック図である。同図に示すように、このプレフィックス生成装置１１は、入力部１１ａと、表示部１１ｂと、カードライタ１１ｃと、ＳＬＡデータ生成部１１ｄと、プレフィックス作成部１１ｅと、記憶部１１ｆと、制御部１１ｇとを有する。
【００４３】
入力部１１ａは、ルータ１３に配当したＳＬＡＩＤ以外のプレフィックス部分の入力をおこなうキーボードなどの入力デバイスであり、具体的には図２に示したＦＰ、ＴＬＡ、ＲＥＳおよびＮＬＡＩＤがこの入力部１１ａにより入力される。表示部１１ｂは、入力部１１ａによる入力状況や動作状況などの各種表示を表示する液晶などの表示デバイスである。
【００４４】
カードライタ１１ｃは、生成したプレフィックスをカード１２に書き込むための書き込み処理部であり、たとえばカード１２が磁気カードである場合には、このカード１２に対してプレフィックスを磁気記録する。
【００４５】
ＳＬＡデータ生成部１１ｄは、所定の数分のＳＬＡＩＤを生成する処理部であり、具体的には、０ｘ００００から順次カウントアップして複数のＳＬＡＩＤを生成する。このＳＬＡＩＤには、ユニークであることが要求される反面で、従来のＩＰｖ４規約よりも多くのビット数があるため、ＩＰｖ４規約のような精密さが要求されないためである。
【００４６】
プレフィックス作成部１１ｅは、ＳＬＡデータ生成部１１ｄにより生成されたＳＬＡＩＤと、入力部１１ａから入力されたＩＳＰ設定ビット列とを結合してプレフィックスを生成する処理部である。
【００４７】
記憶部１１ｆは、ハードディスクなどの二次記憶媒体であり、具体的には、プレフィックス作成部１１ｅにより作成されたプレフィックスのバックアップデータなどを記憶する。
【００４８】
制御部１１ｇは、プレフィックス生成装置１１の全体制御をおこなう制御部であり、プレフィックス作成部１１ｅにより作成されたプレフィックスをカードライタ１１ｃに受け渡してプレフィックスをカード１２に書き込み指示するなどの制御をおこなう。
【００４９】
上記構成を有するプレフィックス生成装置１１を用いることにより、プレフィックスを自動生成してカード１２に記憶することができる。なお、ここではハードウエア構成についての詳細な説明を省略したが、このプレフィックス生成装置１１は、ＣＰＵ、メモリ、ハードディスクドライブ、キーボード、ＣＲＴ、カードリーダなどを備えた通常のパソコンで足り、ＳＬＡデータ生成部１１ｄおよびプレフィックス作成部１１ｅに対応するアプリケーションをハードディスクなどからＣＰＵに読み込んで実行することにより、上記機能を発揮することができる。
【００５０】
次に、図３に示したプレフィックス生成装置１１の処理手順について説明する。図４は、図３に示したプレフィックス生成装置１１の処理手順を示すフローチャートである。
【００５１】
同図に示すように、このプレフィックス生成装置１１では、カードライタ１１ｃにカード１２が挿入され（ステップＳ４０１）、入力部１１ａからＦＰ、ＴＬＡ、ＲＥＳおよびＮＬＡＩＤからなるＩＳＰ設定ビット列を入力する（ステップＳ４０２）。
【００５２】
その後、ＳＬＡデータ生成部１１ｄがＳＬＡＩＤを発生したならば（ステップＳ４０３）、プレフィックス作成部１１ｅが、入力部１１ａから入力されたＩＳＰ設定ビット列とＳＬＡＩＤを結合してプレフィックスを作成する（ステップＳ４０４）。そして、プレフィックス数が所定数に達していない場合には（ステップＳ４０５否定）、ステップＳ４０３に移行して、ＳＬＡＩＤをカウントアップして新たなＳＬＡＩＤを作成する処理を繰り返す。
【００５３】
そして、プレフィックス数が所定数に達した場合には（ステップＳ４０５肯定）、作成した各プレフィックスをカードライタ１１ｃによりカード１２に書き込み（ステップＳ４０６）、プレフィックスのバックアップを記憶部１１ｆに格納した後に（ステップＳ４０７）、カード１２をカードライタ１１ｃから排出して（ステップＳ４０８）、処理を終了する。
【００５４】
これらの一連の処理により、図５に示すように、ｐｒｅｆｉｘ＃１、ｐｒｅｆｉｘ＃２、…、ｐｒｅｆｉｘ＃ｍというｍ個のプレフィックスがカード１２に格納されることになる。
【００５５】
次に、図１に示したルータ１３の構成について説明する。図６は、図１に示したルータ１３の構成を示す機能ブロック図である。同図に示すように、このルータ１３は、入出力が対をなす複数のインターフェース部１３ａ〜１３ｃと、カードリーダ１３ｄと、プレフィックス読み出し部１３ｆおよびプレフィックス割り当て処理部１３ｇを含む制御部１３ｅと、ルーティングテーブル１３ｈとを有する。
【００５６】
インターフェース部１３ａ〜１３ｃは、インターネット接続ルータまたはネットワークアクセスサーバ１０若しくはＬＡＮ１４および１５が接続される入出力インターフェースであり、各インターフェース部にはプレフィックスが割り当てられる。具体的には、ルーティングテーブル１３ｈには、図７に示すようなインターフェース部とプレフィックスの対が記憶され、所定のプレフィックスをアドレスに含むパケットを受け付けた際に、該プレフィックスに対応するインターフェース部にパケットを出力する。
【００５７】
カードリーダ１３ｄは、あらかじめプレフィックスを記憶したカード１２からプレフィックスを読み出すカードリーダであり、このカード１２が磁気カードである場合には、磁気的に記憶されたデータを読み出す。
【００５８】
制御部１３ｅは、ルータ１３全体を制御する制御部であり、カードリーダ１３ｄに挿入されたカード１２からプレフィックスを読み出すプレフィックス読み出し部１３ｆと、プレフィックス読み出し部１３ｆにより読み出されたプレフィックスをインターフェース部に割り当てるプレフィックス割り当て処理部１３ｇとを有する。具体的には、このプレフィックス割り当て処理部１３ｇは、ルーティングテーブル１３ｈ内のプレフィックスとインターフェース部の対応関係を偏光することにより割り当てをおこなう。
【００５９】
次に、図６に示したルータ１３のプレフィックス割り当て手順について説明する。図８は、図６に示したルータ１３のプレフィックス割り当て手順を示すフローチャートである。
【００６０】
同図に示すように、カードリーダ１３ｄにカード１２が挿入されると（ステップＳ８０１）、プレフィックス読み出し部１３ｆによりカード１２からプレフィックスが読み出され（ステップＳ８０２）、プレフィックス割り当て処理部１３ｇにより各インターフェース部にプレフィックスが割り当てられ（ステップＳ８０３）、ルーティングテーブル１３ｈ内の各インターフェース部に対応付けるプレフィックスが更新される（ステップＳ８０４）。
【００６１】
かかる処理を未割り当てのインターフェース部がある間繰り返し（ステップＳ８０５肯定）、未割り当てのインターフェース部がなくなったならば（ステップＳ８０５否定）、カード１２をカードリーダ１３ｄから排出して（ステップＳ８０６）、処理を終了する。
【００６２】
上記一連の処理を繰り返すことにより、たとえＬＡＮなどが接続されていないインターフェース部についても、接続済みのインターフェース部と同様にプレフィックスが割り当てられることになる。ＩＰｖ６の特性の一つに、プラグアンドプレイがあるため、接続されていないインターフェース部に対してもあらかじめプレフィックスを割り当てておくことは価値がある。
【００６３】
上述してきたように、本実施の形態では、プレフィックスをＩＳＰが保有するプレフィックス生成装置１１が、本来利用者が設定すべき利用者設定ビット列であるＳＬＡＩＤを含むプレフィックスをあらかじめ設定してカード１２に記憶しておき、利用者がルータ１３にカード１２を挿入すると、プレフィックス割り当て処理部１３ｇによりカード１２内のプレフィックスがインターフェース部１３ａおよび１３ｂに割り当てられるよう構成したので、利用者自身がプレフィックスの利用者設定ビット列を設定する必要をなくすことができ、もってかかる設定に要する利用者の労力を低減することが可能となる。
【００６４】
なお、本実施の形態では、ＩＰアドレスとしてグローバルアドレスを用いた場合を示したが、本発明はこれに限定されるものではなくサイトローカルアドレスを用いた場合に適用することもできる。その理由は、サイトローカルアドレスの場合にも、グローバルアドレスと同様に利用者が設定すべきビット列（サブネットＩＤ）が存在するからである。ただし、ルータ超えをおこなわないリンクローカルアドレスは本発明の対象外である。
【００６５】
また、本実施の形態では、ＩＰｖ６規約を用いた場合について説明したが、本発明はこれに限定されるものではなく、その他のＩＰアドレスであっても利用者設定ビット列がある場合には、同様に適用することができる。
【００６６】
さらに、本実施の形態では、プレフィックス生成装置１１を単体として利用した場合を示したが、インターネット接続ルータまたはネットワークアクセスサーバ１０が複数のルータ１３を収容する場合には、各ルータ１３に割り当てたプレフィックスを管理する管理装置が必要となるので、かかる管理装置とプレフィックス作成装置１１を一体とする場合に適用することもできる。
【００６７】
また、本実施の形態では、プレフィックス生成装置１１でＳＬＡＩＤを含む全てのプレフィックスを生成する場合を示したが、ＳＬＡＩＤ以外のプレフィックスをカードＡに書き込み、ＳＬＡＩＤを他の装置で別のカードＢに書き込み、これらのカードＡおよびＢを順次ルータ１３に挿入することで、プレフィックスをルータ１３の各インターフェース部１３ａおよび１３ｂに割り当てることもできる。この場合には、利用者設定ビット列であるＳＬＡＩＤの提供者をＩＳＰ以外の第三者とし、ＩＳＰの負担増を低減しつつ効率良くプレフィックスの設定をおこなうことが可能となる。
【００６８】
さらに、本実施の形態では、一台のルータ１３に一つのカード１２を対応させる場合を示したが、本発明はこれに限定されるものではなく、複数台のルータが一つのカード１２を共用化することもできる。ただし、この場合には、プレフィックスのユニーク性を担保する必要があるため、割り当て済みのプレフィックスを再利用しないようフラグなどで管理する必要がある。これにより、一つのカード１２でルータ１３にプレフィックスを設定することができ、もって業務の円滑化を推進することができる。
【００６９】
（付記１）各端末装置を利用する利用者に対してインターネット接続サービスをおこなうインターネット接続ルータまたはネットワークアクセスサーバと前記端末装置が接続されたネットワークとの間に配設されるネットワーク間接続装置の各インターフェースに対してＩＰアドレスの一部をなすプレフィックスを割り当てるアドレス割り当て方法であって、
インターネットサービスプロバイダが設定すべきＩＳＰ設定ビット列と前記利用者が設定すべき利用者設定ビット列からなるユニークなプレフィックスをあらかじめ取り外し可能な記録媒体に格納するプレフィックス格納工程と、
前記記録媒体が前記ネットワーク間接続装置に対して装着された際に、該記録媒体に格納されたプレフィックスを当該ネットワーク間接続装置のインターフェースに割り当てる割り当て工程と
を含んだことを特徴とするアドレス割り当て方法。
【００７０】
（付記２）前記ＩＰアドレスは、ＩＰｖ６規約に規定された１２８ビットのＩＰアドレスであり、前記プレフィックスは、４８ビットのＩＳＰ設定ビット列とＳＬＡ識別情報を含む１６ビットの利用者設定ビット列とからなり、前記ネットワーク間接続装置は、ＩＰｖ６ルータであることを特徴とする付記１に記載のアドレス割り当て方法。
【００７１】
（付記３）前記記録媒体は、前記ネットワーク間接続装置から取り外し可能なカード型デバイスであることを特徴とする付記１または２に記載のアドレス割り当て方法。
【００７２】
（付記４）前記プレフィックス格納工程は、前記インターネットサービスプロバイダにより前記プレフィックスを前記記録媒体に格納されることを特徴とする付記１、２または３に記載のアドレス割り当て方法。
【００７３】
（付記５）前記プレフィックス格納工程は、複数のプレフィックスを前記記録媒体に格納し、前記割り当て工程は、前記記録媒体が前記ネットワーク間接続装置に対して装着された際に、該記録媒体に格納された複数のプレフィックスを当該ネットワーク間接続装置の各インターフェースにそれぞれ割り当てることを特徴とする付記１〜４のいずれか一つに記載のアドレス割り当て方法。
【００７４】
（付記６）前記割り当て工程により前記記録媒体に格納されたプレフィックスが前記ネットワーク間接続装置のインターフェースに割り当てられた際に、該ネットワーク間接続装置がそのアドレス経路を集約して広告する広告工程をさらに含んだことを特徴とする付記１〜５のいずれか一つに記載のアドレス割り当て方法。
【００７５】
（付記７）前記プレフィックス格納工程は、前記インターネットサービスプロバイダが設定すべきＩＳＰ設定ビット列を第１の記録媒体に格納するとともに、前記利用者が設定すべき利用者設定ビット列を第２の記録媒体に格納し、前記割り当て工程は、前記第１の記録媒体および第２の記録媒体が前記ネットワーク間接続装置に対して装着された際に、該第１の記録媒体に格納されたＩＳＰ設定ビット列と前記第２の記録媒体に格納された利用者設定ビット列からユニークなプレフィックスを生成し、生成したプレフィックスを当該ネットワーク間接続装置のインターフェースに割り当てることを特徴とする付記１〜６のいずれか一つに記載のアドレス割り当て方法。
【００７６】
（付記８）前記割り当て工程は、前記記録媒体に格納されたプレフィックスのうち前記ネットワーク間接続装置のインターフェースに割り当てられたものを使用不可とし、該記録媒体が他のネットワーク接続機器に装着された際に、該記録媒体に格納された未割り当てのプレフィックスを当該他のネットワーク間接続装置のインターフェースに割り当てることを特徴とする付記１〜７のいずれか一つに記載のアドレス割り当て方法。
【００７７】
（付記９）各端末装置を利用する利用者に対してインターネット接続サービスをおこなうインターネット接続ルータまたはネットワークアクセスサーバと前記端末装置が接続されたネットワークとの間に配設されるネットワーク間接続装置の各インターフェースに対してＩＰアドレスの一部をなすプレフィックスを割り当てるアドレス割り当てシステムであって、
インターネットサービスプロバイダが設定すべきＩＳＰ設定ビット列と前記利用者が設定すべき利用者設定ビット列からなるユニークなプレフィックスをあらかじめ取り外し可能な記録媒体に格納するプレフィックス格納装置を備え、
前記ネットワーク間接続装置は、
前記記憶媒体に格納されたプレフィックスを読み出す読み出し手段と、
前記読み出し手段により読み出されたプレフィックスを当該ネットワーク間接続装置のインターフェースに割り当てる割り当て手段とを備えた
ことを特徴とするアドレス割り当てシステム。
【００７８】
（付記１０）前記ＩＰアドレスは、ＩＰｖ６規約に規定された１２８ビットのＩＰアドレスであり、前記プレフィックスは、４８ビットのＩＳＰ設定ビット列とＳＬＡ識別情報を含む１６ビットの利用者設定ビット列とからなり、前記ネットワーク間接続装置は、ＩＰｖ６ルータであることを特徴とする付記９に記載のアドレス割り当てシステム。
【００７９】
（付記１１）前記記録媒体は、前記ネットワーク間接続装置から取り外し可能なカード型デバイスであり、前記読み出し手段は、前記カード型デバイスからデータを読み出すカードリーダであることを特徴とする付記９または１０に記載のアドレス割り当てシステム。
【００８０】
（付記１２）前記プレフィックス格納装置は、前記インターネットサービスプロバイダが所有する装置であることを特徴とする付記９、１０または１１に記載のアドレス割り当てシステム。
【００８１】
（付記１３）前記プレフィックス格納装置は、複数のプレフィックスを前記記録媒体に格納し、前記割り当て手段は、前記記録媒体が前記ネットワーク間接続装置に対して装着された際に、該記録媒体に格納された複数のプレフィックスを当該ネットワーク間接続装置の各インターフェースにそれぞれ割り当てることを特徴とする付記９〜１２のいずれか一つに記載のアドレス割り当てシステム。
【００８２】
（付記１４）前記ネットワーク間接続装置は、前記割り当て手段により前記記録媒体に格納されたプレフィックスが前記ネットワーク間接続装置のインターフェースに割り当てられた際に、該ネットワーク間接続装置がそのアドレス経路を集約して広告する広告手段をさらに備えたことを特徴とする付記９〜１３のいずれか一つに記載のアドレス割り当てシステム。
【００８３】
（付記１５）前記プレフィックス格納装置は、前記インターネットサービスプロバイダが設定すべきＩＳＰ設定ビット列を第１の記録媒体に格納するとともに、前記利用者が設定すべき利用者設定ビット列を第２の記録媒体に格納し、前記割り当て手段は、前記第１の記録媒体および第２の記録媒体が前記ネットワーク間接続装置に対して装着された際に、該第１の記録媒体に格納されたＩＳＰ設定ビット列と前記第２の記録媒体に格納された利用者設定ビット列からユニークなプレフィックスを生成し、生成したプレフィックスを当該ネットワーク間接続装置のインターフェースに割り当てることを特徴とする付記９〜１４のいずれか一つに記載のアドレス割り当てシステム。
【００８４】
（付記１６）前記割り当て手段は、前記記録媒体に格納されたプレフィックスのうち前記ネットワーク間接続装置のインターフェースに割り当てられたものを使用不可とするとともに、該記録媒体が装着された際に、該記録媒体に格納された未割り当てのプレフィックスを当該ネットワーク間接続装置のインターフェースに割り当てることを特徴とする付記９〜１５のいずれか一つに記載のアドレス割り当てシステム。
【００８５】
（付記１７）各端末装置を利用する利用者に対してインターネット接続サービスをおこなうインターネット接続ルータまたはネットワークアクセスサーバと前記端末装置が接続されたネットワークとの間に配設されるネットワーク間接続装置であって、
インターネットサービスプロバイダが設定すべきＩＳＰ設定ビット列と前記利用者が設定すべき利用者設定ビット列からなるユニークなプレフィックスを格納した取り外し可能な記録媒体からデータを読み出す読み出し手段と、
前記読み出し手段により読み出されたプレフィックスを当該ネットワーク間接続装置のインターフェースに割り当てる割り当て手段と
を備えたことを特徴とするネットワーク間接続装置。
【００８６】
（付記１８）前記ＩＰアドレスは、ＩＰｖ６規約に規定された１２８ビットのＩＰアドレスであり、前記プレフィックスは、４８ビットのＩＳＰ設定ビット列とＳＬＡ識別情報を含む１６ビットの利用者設定ビット列とからなり、前記ネットワーク間接続装置は、ＩＰｖ６ルータであることを特徴とする付記１７に記載のネットワーク間接続装置。
【００８７】
（付記１９）前記記録媒体は、取り外し可能なカード型デバイスであり、前記読み出し手段は、前記カード型デバイスからデータを読み出すカードリーダであることを特徴とする付記１７または１８に記載のネットワーク間接続装置。
【００８８】
（付記２０）前記記録媒体は、前記インターネットサービスプロバイダから配布されたことを特徴とする付記１７、１８または１９に記載のネットワーク間接続装置。
【００８９】
（付記２１）前記読み出し手段は、前記記録媒体に格納された複数のプレフィックスを読み出し、前記割り当て手段は、前記読み出し手段により読み出された複数のプレフィックスを当該ネットワーク間接続装置の各インターフェースにそれぞれ割り当てることを特徴とする付記１７〜２０のいずれか一つに記載のネットワーク間接続装置。
【００９０】
（付記２２）前記割り当て手段により前記記録媒体に格納されたプレフィックスが当該ネットワーク間接続装置のインターフェースに割り当てられた際に、そのアドレス経路を集約して広告する広告手段をさらに備えたことを特徴とする付記１７〜２１のいずれか一つに記載のネットワーク間接続装置。
【００９１】
（付記２３）前記読み出し手段は、第１の記録媒体に格納されたインターネットサービスプロバイダが設定すべきＩＳＰ設定ビット列と、第２の記録媒体に格納された前記利用者が設定すべき利用者設定ビット列とを読み出し、前記割り当て手段は、前記第１の記録媒体に格納されたＩＳＰ設定ビット列と前記第２の記録媒体に格納された利用者設定ビット列からユニークなプレフィックスを生成し、生成したプレフィックスを当該ネットワーク間接続装置のインターフェースに割り当てることを特徴とする付記１８〜２２のいずれか一つに記載のネットワーク間接続装置。
【００９２】
（付記２４）前記割り当て手段は、前記記録媒体に格納されたプレフィックスのうち前記ネットワーク間接続装置のインターフェースに割り当てられたものを使用不可とするとともに、該記録媒体が装着された際に、該記録媒体に格納された未割り当てのプレフィックスを当該ネットワーク間接続装置のインターフェースに割り当てることを特徴とする付記１７〜２３のいずれか一つに記載のネットワーク間接続装置。
【００９３】
【発明の効果】
以上説明したように、本発明によれば、記憶媒体を利用してネットワーク間接続装置にプレフィックスを設定するので、利用者自身がプレフィックスの利用者設定ビット列を設定する必要をなくすことができ、もってかかる設定に要する利用者の労力を低減することが可能となる。特に、ネットワークを組む作業としては、カードなどの記録媒体を挿入してケーブルを接続するだけで済み、家庭やネットワークの専門家がいない企業などへのＩＰｖ６ネットワークの導入が容易になるため、ＩＰｖ６ネットワークの健全な発展に寄与することができる。
【００９４】
また、本発明によれば、ＩＰｖ６規約に規定された１２８ビットのＩＰアドレスを対象とし、プレフィックスが、４８ビットのＩＳＰ設定ビット列とＳＬＡ識別情報を含む１６ビットの利用者設定ビット列とからなり、ネットワーク間接続装置がＩＰｖ６ルータであることとしたので、利用者設定ビット列のビット数制約が少なくなるので、記録媒体に格納するプレフィックスを簡易に決定することができる。
【００９５】
また、本発明によれば、記録媒体をネットワーク間接続装置から取り外し可能なカード型デバイスとしたので、既存のカード型デバイスを用いて効率良くプレフィックスを設定することができる。
【００９６】
また、本発明によれば、インターネットサービスプロバイダによりプレフィックスが記録媒体に格納されることとしたので、利用者がインターネットサービスプロバイダに加入する際に、かかる記録媒体を入手し、もって簡易かつ迅速にプレフィックスの設定をおこなうことができる。
【００９７】
また、本発明によれば、複数のプレフィックスを前記記録媒体に格納し、記録媒体がネットワーク間接続装置に対して装着された際に、該記録媒体に格納された複数のプレフィックスを当該ネットワーク間接続装置の各インターフェースにそれぞれ割り当てることとしたので、ハイエンドのルータのように多くのインターフェースを有する場合であっても、一つの記録媒体を用いて各インターフェースにプレフィックスを設定することができる。
【００９８】
また、本発明によれば、記録媒体に格納されたプレフィックスがネットワーク間接続装置のインターフェースに割り当てられた際に、該ネットワーク間接続装置がそのアドレス経路を集約して広告することとしたので、ルータなどのネットワーク間接続装置の機能発揮に必要となるアドレス経路の配布を効率良くおこなうことができる。
【００９９】
また、本発明によれば、インターネットサービスプロバイダが設定すべきＩＳＰ設定ビット列を第１の記録媒体に格納するとともに、利用者が設定すべき利用者設定ビット列を第２の記録媒体に格納しておき、第１の記録媒体および第２の記録媒体がネットワーク間接続装置に対して装着された際に、該第１の記録媒体に格納されたＩＳＰ設定ビット列と第２の記録媒体に格納された利用者設定ビット列からユニークなプレフィックスを生成し、生成したプレフィックスを当該ネットワーク間接続装置のインターフェースに割り当てることとしたので、利用者設定ビット列の提供者を第三者とし、ＩＳＰ業者の負担増を低減しつつ効率良くプレフィックスの設定をおこなうことができる。
【０１００】
また、本発明によれば、記録媒体に格納されたプレフィックスのうちネットワーク間接続装置のインターフェースに割り当てられたものを使用不可とし、該記録媒体が他のネットワーク接続機器に装着された際に、該記録媒体に格納された未割り当てのプレフィックスを当該他のネットワーク間接続装置のインターフェースに割り当てることとしたので、一つの記録媒体で複数のネットワーク間接続装置にプレフィックスの設定をおこなうことができ、もって業務の円滑化を推進することができる。
【図面の簡単な説明】
【図１】この発明の実施の形態に係るプレフィックス設定システムの概念図である。
【図２】本実施の形態で用いるグローバルアドレスの構成を示す図である。
【図３】図１に示したプレフィックス生成装置の構成を示す機能ブロック図である。
【図４】図３に示したプレフィックス生成装置の処理手順を示すフローチャートである。
【図５】図１に示したカード１２に記憶したプレフィックスの一例を示す図である。
【図６】図１に示したルータの構成を示す機能ブロック図である。
【図７】図６に示したルーティングテーブルの一例を示す図である。
【図８】図６に示したルータのプレフィックス設定時の処理手順を示すフローチャートである。
【図９】
従来技術の説明図である。
【符号の説明】
１０    インターネット接続ルータまたはネットワークアクセスサーバ
１１    プレフィックス生成装置
１１ａ    入力部
１１ｂ    表示部
１１ｃ    カードライタ
１１ｄ    ＳＬＡデータ生成部
１１ｅ    プレフィックス作成部
１２    カード
１３    ルータ
１３ａ，１３ｂ，１３ｃ    インターフェース部
１３ｄ    カードリーダ
１３ｅ    制御部
１３ｆ    プレフィックス読み出し部
１３ｇ    プレフィックス割り当て処理部
１３ｈ    ルーティングテーブル
１４，１５    ＬＡＮ
１６ａ〜１６ｄ    端末装置
【図１】
2004297410.tif 000003
【図２】
2004297410.tif 000004
【図３】
2004297410.tif 000005
【図４】
2004297410.tif 000006
【図５】
2004297410.tif 000007
【図６】
2004297410.tif 000008
【図７】
2004297410.tif 000009
【図８】
2004297410.tif 000010
【図９】
2004297410.tif 000011